(57)【特許請求の範囲】
【請求項１】
収納部を有するボックス本体と、
前記収納部の一部を開閉可能に前記ボックス本体に回動可能に取り付けられた第１ドアと、
前記収納部の残部を開閉可能に前記第１ドアに隣合った位置で前記ボックス本体に前記第１ドアと同軸で回動可能に取り付けられている第２ドアと、
前記第１ドアと前記第２ドアの一方に設けられた係合孔と、
前記第１ドアと前記第２ドアの一方側に可動に、前記第１ドアと前記第２ドアの他方に設けられる可動部材と、
前記第１ドアと前記第２ドアの他方から出没可能に前記可動部材に取り付けられ、前記第１ドアと前記第２ドアの両方が開のとき前記係合孔に突出係合して前記第１ドアと前記第２ドアを開閉方向に一体に回動させる係合ピンと、
前記可動部材に取り付けられるガイドピンと、
前記ボックス本体に設けられ、前記ガイドピンが係合し、前記第１、第２ドアの回動軸芯を中心に回動する前記ガイドピンの回動軌跡に沿った円弧状で深さが徐々に変化するガイド溝と、
前記第１ドアと前記第２ドアの他方の内面に設けられた、前記第１ドアと前記第２ドアの一方の内面に係合可能な係合突起と、
からなる収納ボックス。
【発明の詳細な説明】
【０００１】
【発明の属する技術分野】
本発明は、収納ボックスに関する。
【０００２】
【従来の技術】
車両の車室内には比較的小さい物を収納する小物入れや、大きい物を収納する収納ボックスなどの収納装置が取り付けられる。小物入れにはたとえば、カードホルダー、コインホルダー、カップホルダー、灰皿などのように用途が限定されているものや、とくに用途が限定されていないものがある。また、収納ボックスにはカメラ、携帯電話、各種書類などの大型のものが収納可能でありたとえば、インストルメントパネルの助手席側に設けられるグローブボックスや、運転席と助手席の間に設けられるコンソールボックスがある。
小物入れは車室内のスペースによっては、多く配置されない場合があり、また仮に、多く配置されたとしても利用されずに無駄なスペースとなる場合がある。したがって、グローブボックスやコンソールボックスなどの大型のものを収納する収納ボックスが小物入れを兼用していれば、車室内の限られたスペースが有効利用されて無駄なスペースが生じることは少なくなる。
【０００３】
【発明が解決しようとする課題】
しかし、収納ボックスに小物入れを兼用させると収納ボックス内にいろいろな小物が雑然と置かれることになり、必要なものをすぐに取り出すことが困難になる。グローブボックスやコンソールボックス内部に仕切り板等を設けたとしても、たとえば、携帯電話のような特定のものを出し入れする頻度が高い場合、ボックスを開くたびに収納されている物が目につき、煩わしさを感じることになる。本発明の目的は、大きい物を収納可能な収納ボックスを設け、その全体を使用する場合と一部を使用する場合のいずれであっても違和感なく使用することができるようにすることにより、使用者によって異なる様々な使い方に対応できる収納ボックスを提供することにある。
【０００４】
【課題を解決するための手段】
上記目的を達成する本発明は、つぎの通りである。
収納部を有するボックス本体と、
前記収納部の一部を開閉可能に前記ボックス本体に回動可能に取り付けられた第１ドアと、
前記収納部の残部を開閉可能に前記第１ドアに隣合った位置で前記ボックス本体に前記第１ドアと同軸で回動可能に取り付けられている第２ドアと、
前記第１ドアと前記第２ドアの一方に設けられた係合孔と、
前記第１ドアと前記第２ドアの一方側に可動に、前記第１ドアと前記第２ドアの他方に設けられる可動部材と、
前記第１ドアと前記第２ドアの他方から出没可能に前記可動部材に取り付けられ、前記第１ドアと前記第２ドアの両方が開のとき前記係合孔に突出係合して前記第１ドアと前記第２ドアを開閉方向に一体に回動させる係合ピンと、
前記可動部材に取り付けられるガイドピンと、
前記ボックス本体に設けられ、前記ガイドピンが係合し、前記第１、第２ドアの回動軸芯を中心に回動する前記ガイドピンの回動軌跡に沿った円弧状で深さが徐々に変化するガイド溝と、
前記第１ドアと前記第２ドアの他方の内面に設けられた、前記第１ドアと前記第２ドアの一方の内面に係合可能な係合突起と、
からなる収納ボックス。
【０００５】
上記本発明の収納ボックスでは、収納ボックス本体に第１ドアと第２ドアが隣合って回動可能に取り付けられており、第１ドアと第２ドアの他方の内面には第１ドアと第２ドアの一方の内面に係合可能な係合突起が設けられているので、第１ドアと第２ドアが閉とされている状態から第１ドアと第２ドアの一方が開方向に回動されると、第１ドアと第２ドアの他方が閉とされたまま第１ドアと第２ドアの一方が開とされ、また第１ドアと第２ドアの他方が開方向に回動されると、第１ドアと第２ドアの両方が開とされる。収納ボックスは、第１ドアと第２ドアの一方のみが開とされている場合には比較的小さい物の収納に利用できる。このとき、第１ドアと第２ドアの他方は閉とされて収納部内の全部は見えないので、収納部内が煩雑になっていても煩わしさを感じることがない。第１ドアと第２ドアの両方が開とされている場合には収納部の全体を使用できる。
また、第１ドアと第２ドアの他方に取り付けられている係合ピンは、第１ドアと第２ドアの両方が開のとき係合孔に突出係合してそれにより第１ドアと第２ドアが開閉方向に一体に回動可能とされるので、第１ドアと第２ドアの両方が開とされている状態から第１ドアと第２ドアのどちらかを閉方向に回動させることで両方のドアを同時に閉じることができる。
【０００６】
【発明の実施の形態】
本発明実施例の収納ボックスを、たとえば自動車の運転席と助手席の間に設けられる場合を例にとって、図１〜図５を参照して説明する。
収納ボックスは、図１に示すように、ボックス本体１、車両前後方向前側にある第１ドア２、後ろ側にある第２ドア３の３部品からなっている。第１ドア２は第２ドアより小さい。本発明の実施例では第１ドア２が前側に第２ドアが後ろ側になっているがその逆でもよく、第２ドア３が前側に第１ドアが後ろ側になっていてもよい。
ボックス本体１は、上方に向かって開口する収納部を備え、車両の前後方向に延び、運転席側に位置する前壁１ａと、前壁１ａの両端から助手席側に向かって延びる側壁１ｂと、前壁１ａと平行に助手席側に位置する奥壁１ｃと、底壁１ｄからなる。底壁１ｄにはコインを保持することができる溝１ｅが形成されている。
第１ドア２および第２ドア３の幅方向両端には、それぞれ軸支するためのアーム２００、２０１、３００、３０２が設けられている。各ドア２、３のボックス本体側壁１ｂに軸支される側のアーム２００、３００の軸孔２ｃ、３ｃには、ボックス本体側壁１ｂの軸孔１ｆを貫通したスプリングピン１０がそれぞれ嵌合し、それにより各ドア２、３はボックス本体１に回動可能に取り付けられている。また、ボックス本体底壁１ｄには各ドア２、３を軸支するための支柱１０１が立設されている。支柱１０１は、各ドア２、３の回動軸上に軸孔１０１ａを有する。軸孔１０１ａには、各ドア２、３の隣合うアーム２０１、３０２に設けられた軸ピン２０１ａ、３１３ｃが嵌合している。
以上の構成により、各ドア２、３はそれぞれ独立してかつ同軸でボックス本体１に対して回動可能となり、各ドア２、３の回動によりボックス本体１の開口を開閉することができる。
【０００７】
各ドア２、３のアームのうちボックス本体側壁１ｂ側のアーム２００、３００には、それぞれ外方に突出するガイドピンが設けられている。図１に示すように、アーム３００のガイドピン３０は、ボックス本体側壁１ｂのガイド孔３５を貫通する。同様に、アーム２００の図示されないガイドピンもボックス本体側壁１ｂのガイド孔２５を貫通する。ガイド孔２５、３５はガイドピンの回動軌跡に沿った円弧状に形成されている。ガイドピンは各ドア２、３の回動軸芯（軸孔１ｆの軸芯または軸孔１０１ａの軸芯）を中心に回動する。それぞれのガイドピンの先端にはスプリング７、８の一端が係合されている。スプリング７、８の他端はビス９によりボックス本体側壁１ｂに固定されている。そのため、スプリング７、８の他端からガイドピンに係合された一端までの直線距離はガイドピンの回動に伴って変化し、スプリング７、８がその変化にともなって変形する。その直線距離が最も短くなるのは、ガイドピンが各ドア２、３の回動軸芯とスプリング７、８の他端を結ぶ線上に位置するときで、各ドア２、３は回動途中にある。各ドア２、３が開状態あるいは閉状態に近づくにつれて、スプリング７、８の他端から一端までの直線距離は長くなる。したがって、各ドア２、３は開閉途中の状態にあるとき、スプリング７および８により開閉いずれかの方向に付勢される。それにより各ドア２、３は閉じた状態あるいは開いた状態に確実に保持される。
【０００８】
第２ドア３の内面（第２ドア３を閉じた状態のときボックス本体１の底壁１ｄに対向する面）には、第１ドア２に向けて延び、第１ドア２に当接可能な係合突起３０１が設けられている。係合突起３０１により両方のドア２、３が閉じた状態で第２ドア３を開くと、第１ドア２も同時に開く。
【０００９】
第２ドア３の第１ドア２側に位置するアーム３０２は、図２、図４に示すように、第２ドア３に固定され第１ドア２側に向かって開口した中空本体部３１０、中空本体部３１０に収容される可動部材３１１、可動部材３１１を第１ドア２側に付勢するスプリング３１２、中空本体部３１０の開口の蓋となる蓋部材３１３とからなっている。
中空本体部３１０の蓋部材３１３に対向する壁面には、蓋部材３１３に向かって突出した略円筒状の支持ボス３１０ｃが設けられている。
可動部材３１１は、基部３１１ｄに対して直交する方向に延びる係合ピン３１１ａとガイドピン３１１ｂと、基部３１１ｄに対してガイドピン３１１ｂと反対方向に延びる支持ピン３１１ｃとを有する。支持ピン３１１ｃは中空本体部３１０に設けられている支持ボス３１０ｃに係合・摺動可能であり、可動部材３１１の傾きを防止する。
蓋部材３１３には、図２に示すように、軸ピン３１３ｃに加え、可動部材３１１の係合ピン３１１ａとガイドピン３１１ｂが貫通突出する貫通孔３１３ａ、３１３ｂが設けられている。
【００１０】
支柱１０１には、図１、図４に示すように、可動部材３１１のガイドピン３１１ｂが係合するガイド溝１０１ｂが形成されている。ガイド溝１０１ｂは軸孔１０１ａの軸芯を中心に回動するガイドピン３１１ｂの回動軌跡に沿った円弧状で、深さが除々に変化し上部が浅く下部が深くなっている。
【００１１】
第１ドア２のアーム２０１には、図３に示すように、軸ピン２０１ａに加え、可動部材３１１の係合ピン３１１ａが係合する係合孔２０１ｂが形成されている。また、可動部材３１１の係合ピン３１１ａが係合されやすいように、テーパー面２０１ｃが形成されている。
【００１２】
つぎに、上記構成の作用を説明する。
各ドア２、３が共に閉じた状態では、図４に示すように、可動部材３１１のガイドピン３１１ｂは支柱１０１のガイド溝１０１ｂの上部に当接している。ガイド溝１０１ｂの上部は深さが浅いので、可動部材３１１は図中左側に付勢されて、係合ピン３１１ａが第１ドア２のアーム２０１から離れている。
【００１３】
まず、両方のドア２、３が閉じた状態から第１ドア２を手動により開方向に回動させ、つづいて閉方向に回動させる場合を説明する。
第１ドア２を回動させると、第２ドア３は閉じたまま、第１ドア２のみが単独で開き開状態となる。したがって、収納ボックスの収納部の一部の使用が可能になる。つづいて、第１ドア２のみが開とされている状態から第１ドア２を閉方向に回動させることにより両方のドア２、３が閉じた元の状態にすることができる。
【００１４】
つぎに、両方のドア２、３が閉じた状態から第２ドア３を手動により開方向に回動させる場合を説明する。
第２ドア３が回動を始めると、第１ドア２の内面に当接した第２ドア３の係合突起３０１により第１ドア２も同時に回動する。そして、第１、第２ドア２、３が開方向に回動するにつれて、第２ドア３のアーム３０２のガイドピン３１１ｂは、ガイド溝１０１ｂに沿って下方に回動移動する。ガイド溝１０１ｂは下方に向かって除々に深くされているので、スプリング３１２により第１ドア２側に付勢されている可動部材３１１（ガイドピン３１１ｂ）は、除々に第１ドア２側（右側）へ移動する。各ドア２、３が完全に開いた状態では、図５に示すように、可動部材３１１の係合ピン３１１ａが突出してアーム２０１の係合孔２０１ｂに係合し、両方のドア２、３が係合ピン３１１ａに連結された状態となる。
本発明実施例の収納ボックスでは、第２ドア３のみが開状態になる場合はなく、ドアが開いた状態としては、第１ドア２のみが開いた状態、あるいは第１ドア２と第２ドア３の両方が開いた状態のいずれかになる。
【００１５】
つぎに、第１ドア２のみが開状態で第２ドアが閉じている状態から第２ドア３を開方向に回動させる場合を説明する。
第２ドア３の開方向への回動に伴って、可動部材３１１は右方向、第１ドア２側に除々に移動する。回動途中、可動部材３１１の係合ピン３１１ａは第１ドア２のアーム２０１に当接し、アーム２０１面を摺動する。係合ピン３１１ａのアーム２０１との当接により可動部材３１１の右方向への移動が阻止される。しかし第２ドア３が完全に開いた状態になった時、図５に示すように、係合ピン３１１ａは係合孔２０１ｂに対向する位置に達し、係合孔２０１ｂ内に突出する。それにより、両方のドア２、３が係合ピン３１１ａに連結された状態となる。
【００１６】
つぎに、両方のドア２、３が開いている状態からドアを閉方向に回動させる場合を説明する。
両方のドア２、３が開いた状態では、いずれの手順でドアが開かれたとしても、両方のドア２、３は係合ピン３１１ａに連結された状態とされている。したがって、どちらのドアを手動により閉じようとしても、両方のドアが同時に閉じることになる。たとえば、両方のドア２、３が開の状態にあり、第１ドア２が閉方向に回動されると、同時に第２ドア３も閉方向に回動する。また、第２ドア３が閉方向に回動されると、同時に第１ドア２も閉方向に回動する。
【００１７】
たとえば、携帯電話程度の比較的大きいものを収納する場合には、第２ドア３を手動で開閉することにより第１ドア２も同時に開閉し、収納部全部を利用できるので、従来のコンソールボックスあるいはグローブボックスと同様の使い方ができ、容易に被収納物を出し入れできる。
また、携帯電話など、すぐに取り出すことのできる位置に収納したい場合には、第１ドア２のみを開き、携帯電話を立てて置くことができる。これにより、携帯電話をすぐに取り出すことができる。第２ドア３は開かないのでボックス本体１に収納されている他の細々とした物が目に入らず煩わしさを感じない。
【００１８】
【発明の効果】
本発明の収納ボックスによれば、第１ドアと第２ドアの両方が閉じた状態から第１ドアと第２ドアの一方を開方向に回動すると、一方のみが開とされるので、収納部の一部を利用できる。収納部の他の部分は第１ドアと第２ドアの他方に隠され、内部が見えにくい。第１ドアと第２ドアの他方を開方向に回動すると、第１ドアと第２ドアの他方に設けられた係合突起により第１ドアと第２ドアの両方が開とされ収納部の全部を利用でき、比較的大きな収納物の出し入れが容易になる。また、第１ドアと第２ドアの両方が開の状態では、第１ドアと第２ドアの一方に設けられた係合孔に係合ピンが突出係合して第１ドアと第２ドアが開閉方向に一体に回動可能となるので、第１ドアと第２ドアの一方をあるいは他方を閉方向に回動させると、いずれの場合も第１ドアと第２ドアの両方のドアが同時に閉方向に回動し、一回の操作で２つのドアを閉じることができる。
【図面の簡単な説明】
【図１】本発明実施例の収納ボックスの分解斜視図である。
【図２】本発明実施例の収納ボックスの第２ドアに設けられ、第１ドアに隣合っているアームの分解斜視図である。
【図３】本発明実施例の収納ボックスの第１ドアに設けられ、第２ドアに隣合っているアームの斜視図である。
【図４】本発明実施例の収納ボックスの第１ドアと第２ドアの両方が閉の時の、第１ドアと第２ドアの互いに隣合っているアームと各アームの間に位置する支柱の断面図である。
【図５】本発明実施例の収納ボックスの第１ドアと第２ドアの両方が開の時の、第１ドアと第２ドアの互いに隣合っているアームと各アームの間に位置する支柱の断面図である。
【符号の説明】
１  ボックス本体
２  第１ドア
３  第２ドア
２０１ｂ  係合孔
３１１ａ  係合ピン
３０１  係合突起
【図１】
0003990796.tif 000002
【図２】
0003990796.tif 000003
【図３】
0003990796.tif 000004
【図４】
0003990796.tif 000005
【図５】
0003990796.tif 000006